(57)【要約】【課題】実店舗によるアフィリエイトを行うアフィリエイトサーバ、アフィリエイトシステム、アフィリエイト方法及びアフィリエイトサーバ用プログラムを提供する。【解決手段】コンテンツ利用端末１０から、コンテンツ利用端末１０で動作するアプリケーションに紐付いたアプリケーションＩＤと、当該アプリケーションが実行される施設に紐付いた施設情報とを対応付けて記憶し、コンテンツ利用端末１０から、アプリケーションに関する課金を許可する課金許可データと、課金を許可したアプリケーションのアプリケーションＩＤと、を受信した場合には、受信したアプリケーションＩＤと、予めアプリケーションＩＤに対応付けられた施設情報とを比較して、当該施設を特定し、特定された施設に課金処理を実行する。【選択図】図１
2016134157.tif 000002
【特許請求の範囲】
【請求項１】
コンテンツ利用端末から、当該コンテンツ利用端末で動作するアプリケーションに紐付いたアプリケーションＩＤと、当該アプリケーションが実行される施設に紐付いた施設情報とを対応付けて記憶する施設情報記憶手段と、
前記コンテンツ利用端末から、前記アプリケーションに関する課金を許可する課金許可データと、当該課金を許可したアプリケーションのアプリケーションＩＤと、を受信した場合には、前記受信したアプリケーションＩＤと、予めアプリケーションＩＤに対応付けられた施設情報とを比較して、当該施設を特定する施設特定手段と、
前記特定された施設に課金処理を実行する施設課金実行手段と、
を備えるアフィリエイトサーバ。
【請求項２】
前記特定された施設の施設情報と、前記コンテンツ利用端末から取得した端末情報とを比較して、前記コンテンツ利用端末が前記特定された施設内に存在している場合には、前記コンテンツ利用端末で動作するアプリケーションの動作を許可する指示を送信する動作許可送信手段と、を備える請求項１に記載のアフィリエイトサーバ。
【請求項３】
前記アプリケーションＩＤが紐付いたアプリケーションの動作回数を規定する動作回数規定手段と、
前記コンテンツ利用端末でのアプリケーションの動作回数が、前記規定された動作回数を超えた場合には、前記コンテンツ利用端末で動作していたアプリケーションの動作を停止する指示を送信する動作回数停止指示送信手段と、を備える請求項１又は２に記載のアフィリエイトサーバ。
【請求項４】
前記アプリケーションＩＤが紐付いたアプリケーションの動作時間を規定する動作時間規定手段と、
前記コンテンツ利用端末でのアプリケーションの動作時間が、前記規定された動作時間を超えた場合には、前記コンテンツ利用端末で動作していたアプリケーションの動作を停止する指示を送信する動作時間停止指示送信手段と、を備える請求項１乃至３のいずれかに記載のアフィリエイトサーバ。
【請求項５】
コンテンツ利用端末と、アフィリエイトサーバとが通信可能に接続されたアフィリエイトシステムであって、
前記コンテンツ利用端末は、
前記アフィリエイトサーバからアプリケーションを受信するアプリケーション受信手段と、
前記受信したアプリケーションを実行するアプリケーション実行手段と、
前記アプリケーションに関する課金を許可する課金許可データを、前記アフィリエイトサーバに送信する課金許可送信手段と、
前記課金を許可したアプリケーションのアプリケーションＩＤを送信するアプリケーションＩＤ送信手段と、
を備え、
前記アフィリエイトサーバは、
前記コンテンツ利用端末から、当該コンテンツ利用端末で動作するアプリケーションに紐付いたアプリケーションＩＤと、当該アプリケーションが実行される施設に紐付いた施設情報とを対応付けて記憶する施設情報記憶手段と、
前記コンテンツ利用端末から、前記課金許可データと、前記課金を許可したアプリケーションのアプリケーションＩＤと、を受信した場合には、前記受信したアプリケーションＩＤと、予めアプリケーションＩＤと対応付けられた施設情報を比較して、当該施設を特定する施設特定手段と、
前記特定された施設に課金処理を実行する施設課金実行手段と、
を備えるアフィリエイトシステム。
【請求項６】
コンテンツ利用端末から、当該コンテンツ利用端末で動作するアプリケーションに紐付いたアプリケーションＩＤと、当該アプリケーションが実行される施設に紐付いた施設情報とを対応付けて記憶するステップと、
前記コンテンツ利用端末から、前記アプリケーションに関する課金を許可する課金許可データと、当該課金を許可したアプリケーションのアプリケーションＩＤと、を受信した場合には、前記受信したアプリケーションＩＤと、予めアプリケーションＩＤと対応付けられた施設情報を比較して、当該施設を特定するステップと、
前記特定された施設に課金処理を実行するステップと、
を備えるアフィリエイト方法。
【請求項７】
コンテンツ利用端末から、当該コンテンツ利用端末で動作するアプリケーションに紐付いたアプリケーションＩＤと、当該アプリケーションが実行される施設に紐付いた施設情報とを対応付けて記憶するステップ、
前記コンテンツ利用端末から、前記アプリケーションに関する課金を許可する課金許可データと、当該課金を許可したアプリケーションのアプリケーションＩＤと、を受信した場合には、前記受信したアプリケーションＩＤと、予めアプリケーションＩＤと対応付けられた施設情報を比較して、当該施設を特定するステップ、
前記特定された施設に課金処理を実行するステップ、
を備えるアフィリエイトサーバ用プログラム。
【発明の詳細な説明】
【技術分野】
【０００１】
本発明は、アフィリエイトを行うアフィリエイトサーバ、アフィリエイトシステム、アフィリエイト方法及びアフィリエイトサーバ用プログラムに関する。
【背景技術】
【０００２】
近年、インターネット上における広告の形態として、アフィリエイト形式のものがある。このようなアフィリエイト形式では、媒体運営者がＷｅｂページやメールマガジン等に商品やサービスのリンクを設定し、ユーザがこのリンクを経由して、対象とする商品やサービスを購入することにより、広告主が媒体運営者に対して報酬を支払うことが行われている。
【０００３】
また、近年、公衆回線網に接続された携帯端末をＷｅｂサーバ等と接続することで、ユーザに様々なサービスが提供されている。特に、スマートフォン（高機能携帯電話）の登場により、従来、パソコンに対して行われていた高度なサービスを、携帯電話で行うことが可能になってきた。例えば、アプリケーションの実行や電子書籍等の閲覧を携帯端末で行うことが可能になってきた。
【０００４】
したがって、携帯端末により、媒体運営者が設置したアフィリエイト用のリンクを経由して対象とする商品やサービスを購入することが可能になってきた。
【０００５】
このようなアフィリエイトのやり方では、オンラインショッピング等の販売形式の場合には、効果的であるが、実店舗での販売形式の場合には、メリットが少なかった。
【０００６】
このような課題に対して、例えば、特許文献１では、広告を閲覧したユーザに対して、実店舗で買い物をするときに使用する特典証を発行し、精算時に提示された特典証と買い物情報に基づいて、アフィリエイト報酬を支払うことが開示されている。
【先行技術文献】
【特許文献】
【０００７】
【特許文献１】特開２０１４−１０６６３３号公報
【発明の概要】
【発明が解決しようとする課題】
【０００８】
しかしながら、特許文献１のように、特典証を発行し、精算時に提示することは、ユーザにとっては、来店する手間や、提示する手間がかかりメリットが少なかった。
【０００９】
本発明者は、実店舗を利用して、アフィリエイトを行うことができないかという点に着目した。
【００１０】
本発明は、このような課題に鑑み、実店舗によるアフィリエイトを行うアフィリエイトサーバ、アフィリエイトシステム、アフィリエイト方法及びアフィリエイトサーバ用プログラムを提供することを目的とする。
【課題を解決するための手段】
【００１１】
本発明では、以下のような解決手段を提供する。
【００１２】
第１の特徴に係る発明は、コンテンツ利用端末から、当該コンテンツ利用端末で動作するアプリケーションに紐付いたアプリケーションＩＤと、当該アプリケーションが実行される施設に紐付いた施設情報とを対応付けて記憶する施設情報記憶手段と、
前記コンテンツ利用端末から、前記アプリケーションに関する課金を許可する課金許可データと、当該課金を許可したアプリケーションのアプリケーションＩＤと、を受信した場合には、前記受信したアプリケーションＩＤと、予めアプリケーションＩＤに対応付けられた施設情報とを比較して、当該施設を特定する施設特定手段と、
前記特定された施設に課金処理を実行する施設課金実行手段と、
を備えるアフィリエイトサーバを提供する。
【００１３】
第１の特徴に係る発明によれば、コンテンツ利用端末から、当該コンテンツ利用端末で動作するアプリケーションに紐付いたアプリケーションＩＤと、当該アプリケーションが実行される施設に紐付いた施設情報とを対応付けて記憶し、前記コンテンツ利用端末から、前記アプリケーションに関する課金を許可する課金許可データと、当該課金を許可したアプリケーションのアプリケーションＩＤと、を受信した場合には、前記受信したアプリケーションＩＤと、予めアプリケーションＩＤに対応付けられた施設情報とを比較して、当該施設を特定し、前記特定された施設に課金処理を実行する。
【００１４】
第１の特徴に係る発明は、アフィリエイトサーバのカテゴリであるが、アフィリエイトシステム、アフィリエイト方法及びアフィリエイトサーバ用プログラムであっても、そのカテゴリに応じた同様の作用、効果を奏する。
【００１５】
第２の特徴に係る発明は、前記特定された施設の施設情報と、前記コンテンツ利用端末から取得した端末情報とを比較して、前記コンテンツ利用端末が前記特定された施設内に存在している場合には、前記コンテンツ利用端末で動作するアプリケーションの動作を許可する指示を送信する動作許可送信手段と、を備える第１の特徴に係る発明であるアフィリエイトサーバを提供する。
【００１６】
第２の特徴に係る発明によれば、第１の特徴に係る発明であるアフィリエイトサーバは、前記特定された施設の施設情報と、前記コンテンツ利用端末から取得した端末情報とを比較して、前記コンテンツ利用端末が前記特定された施設内に存在している場合には、前記コンテンツ利用端末で動作するアプリケーションの動作を許可する指示を送信する。
【００１７】
第３の特徴に係る発明は、前記アプリケーションＩＤが紐付いたアプリケーションの動作回数を規定する動作回数規定手段と、
前記コンテンツ利用端末でのアプリケーションの動作回数が、前記規定された動作回数を超えた場合には、前記コンテンツ利用端末で動作していたアプリケーションの動作を停止する指示を送信する動作回数停止指示送信手段と、を備える第１又は第２の特徴に係る発明であるアフィリエイトサーバを提供する。
【００１８】
第３の特徴に係る発明によれば、第１又は第２の特徴に係る発明であるアフィリエイトサーバは、前記アプリケーションＩＤが紐付いたアプリケーションの動作回数を規定し、前記コンテンツ利用端末でのアプリケーションの動作回数が、前記規定された動作回数を超えた場合には、前記コンテンツ利用端末で動作していたアプリケーションの動作を停止する指示を送信する。
【００１９】
第４の特徴に係る発明は、前記アプリケーションＩＤが紐付いたアプリケーションの動作時間を規定する動作時間規定手段と、
前記コンテンツ利用端末でのアプリケーションの動作時間が、前記規定された動作時間を超えた場合には、前記コンテンツ利用端末で動作していたアプリケーションの動作を停止する指示を送信する動作時間停止指示送信手段と、を備える第１乃至第３のいずれかの特徴に係る発明であるアフィリエイトサーバを提供する。
【００２０】
第４の特徴に係る発明によれば、第１から第３のいずれかの特徴に係る発明であるアフィリエイトサーバは、前記アプリケーションＩＤが紐付いたアプリケーションの動作時間を規定し、前記コンテンツ利用端末でのアプリケーションの動作時間が、前記規定された動作時間を超えた場合には、前記コンテンツ利用端末で動作していたアプリケーションの動作を停止する指示を送信する。
【００２１】
第５の特徴に係る発明は、コンテンツ利用端末と、アフィリエイトサーバとが通信可能に接続されたアフィリエイトシステムであって、
前記コンテンツ利用端末は、
前記アフィリエイトサーバからアプリケーションを受信するアプリケーション受信手段と、
前記受信したアプリケーションを実行するアプリケーション実行手段と、
前記アプリケーションに関する課金を許可する課金許可データを、前記アフィリエイトサーバに送信する課金許可送信手段と、
前記課金を許可したアプリケーションのアプリケーションＩＤを送信するアプリケーションＩＤ送信手段と、
を備え、
前記アフィリエイトサーバは、
前記コンテンツ利用端末から、当該コンテンツ利用端末で動作するアプリケーションに紐付いたアプリケーションＩＤと、当該アプリケーションが実行される施設に紐付いた施設情報とを対応付けて記憶する施設情報記憶手段と、
前記コンテンツ利用端末から、前記課金許可データと、前記課金を許可したアプリケーションのアプリケーションＩＤと、を受信した場合には、前記受信したアプリケーションＩＤと、予めアプリケーションＩＤと対応付けられた施設情報を比較して、当該施設を特定する施設特定手段と、
前記特定された施設に課金処理を実行する施設課金実行手段と、
を備えるアフィリエイトシステムを提供する。
【００２２】
第６の特徴に係る発明は、コンテンツ利用端末から、当該コンテンツ利用端末で動作するアプリケーションに紐付いたアプリケーションＩＤと、当該アプリケーションが実行される施設に紐付いた施設情報とを対応付けて記憶するステップと、
前記コンテンツ利用端末から、前記アプリケーションに関する課金を許可する課金許可データと、当該課金を許可したアプリケーションのアプリケーションＩＤと、を受信した場合には、前記受信したアプリケーションＩＤと、予めアプリケーションＩＤと対応付けられた施設情報を比較して、当該施設を特定するステップと、
前記特定された施設に課金処理を実行するステップと、
を備えるアフィリエイト方法を提供する。
【００２３】
第７の特徴に係る発明は、コンテンツ利用端末から、当該コンテンツ利用端末で動作するアプリケーションに紐付いたアプリケーションＩＤと、当該アプリケーションが実行される施設に紐付いた施設情報とを対応付けて記憶するステップ、
前記コンテンツ利用端末から、前記アプリケーションに関する課金を許可する課金許可データと、当該課金を許可したアプリケーションのアプリケーションＩＤと、を受信した場合には、前記受信したアプリケーションＩＤと、予めアプリケーションＩＤと対応付けられた施設情報を比較して、当該施設を特定するステップ、
前記特定された施設に課金処理を実行するステップ、
を備えるアフィリエイトサーバ用プログラムを提供する。
【発明の効果】
【００２４】
本発明によれば、実店舗によるアフィリエイトを行うアフィリエイトサーバ、アフィリエイトシステム、アフィリエイト方法及びアフィリエイトサーバ用プログラムを提供することが可能となる。
【図面の簡単な説明】
【００２５】
【図１】図１は、アフィリエイトステム１の全体構成図である。
【図２】図２は、アフィリエイトサーバ１００、コンテンツ利用端末末１０の各機能ブロック図である。
【図３】図３は、アフィリエイトシステム１の処理を示すフローチャートである。
【図４】図４は、施設情報記憶テーブルを示す図である。
【図５】図５は、コンテンツ利用端末１０が表示する画面を示す図である。
【図６】図６は、コンテンツ利用端末１０が表示する画面を示す図である。
【図７】図７は、コンテンツ利用端末１０が表示する画面を示す図である。
【図８】図８は、コンテンツ利用端末１０が表示する画面を示す図である。
【発明を実施するための形態】
【００２６】
以下、本発明を実施するための最良の形態について図を参照しながら説明する。なお、これはあくまでも一例であって、本発明の技術的範囲はこれに限られるものではない。
【００２７】
［アフィリエイトシステムのシステム構成］
図１は、本発明の好適な実施形態であるアフィリエイトシステム１のシステム構成図である。アフィリエイトシステム１は、コンテンツ利用端末１０、アフィリエイトサーバ１００、公衆回線網３（インターネット網や第３世代、第４世代通信網など）から構成される。
【００２８】
コンテンツ利用端末１０は、公衆回線網３を介して、アフィリエイトサーバ１００と通信可能に接続されている。また、コンテンツ利用端末１０は、施設２に設置されているビーコン端末とＢＬＥ（Ｂｌｕｅｔｏｏｔｈ  Ｌｏｗ  Ｅｎｅｒｇｙ）によって通信可能な端末である。アフィリエイトサーバ１００とコンテンツ利用端末１０とは、ローカルエリアネットワークで接続されていても良い。アフィリエイトシステム１内の通信は、無線通信、有線通信を問わない。コンテンツ利用端末１０が公衆回線網３と接続するために、ルータ等のネットワーク機器を介して通信可能であっても良い。また、コンテンツ利用端末１０とビーコン端末とは、そのほかの通信形式により通信可能であっても良い。
【００２９】
コンテンツ利用端末１０は、一般的な情報端末であってよく、後述する機能を備える情報機器や電化製品である。コンテンツ利用端末１０は、例えば、携帯電話、スマートフォン、コンピュータ機器、ネットブック端末、スレート端末、電子書籍端末、電子辞書端末、携帯型音楽プレーヤ、携帯型コンテンツ再生・録画プレーヤ等の一般的な情報家電であってよい。
【００３０】
アフィリエイトサーバ１００は、後述するアプリケーションを管理し、各種処理を行うサーバである。本実施例において、アフィリエイトサーバ１００が通信を行うコンテンツ利用端末は、コンテンツ利用端末１０のみであるが、実際には、通信するコンテンツ利用端末の数に上限はなくて良い。
【００３１】
［各機能の説明］
図２は、コンテンツ利用端末１０、アフィリエイトサーバ１００の機能ブロックと、各機能の関係を示す図である。
【００３２】
コンテンツ利用端末１０は、制御部１１として、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を備え、通信部１２として、例えば、ＩＥＥＥ８０２．１１に準拠したＷｉＦｉ（Ｗｉｒｅｌｅｓｓ  Ｆｉｄｅｌｉｔｙ）対応デバイス又は第３世代移動通信システム等のＩＭＴ−２０００規格に準拠した無線デバイス等を備える（有線によるＬＡＮ接続であってもよい）。また、ビーコン端末とＢｌｕｅｔｏｏｔｈ通信を行うＢｌｕｅｔｏｏｔｈ対応デバイスを備える。
【００３３】
さらに、コンテンツ利用端末１０は、出力・入力部として、制御部１１で制御したデータや画像を出力表示する表示部を備え、かつ、ユーザからの入力を受け付けるタッチパネルやキーボードやマウス等を備える。加えて、コンテンツ利用端末１０は、記憶部１３として、ハードディスクや半導体メモリによる、データのストレージ部を備える。
【００３４】
コンテンツ利用端末１０は、制御部１１が所定のプログラムを読み込むことで、通信部１２、出力・入力部、記憶部１３、処理部１４と協働して、アプリケーション受信モジュール２０、アプリケーションＩＤ送信モジュール２１、動作許可受信モジュール２２、動作状況送信モジュール２３、動作停止指示受信モジュール２４、課金許可送信モジュール２５、通知受信モジュール２６、アプリケーション記憶モジュール３０、アプリケーション実行モジュール４０、施設判定モジュール５０を実現する。
【００３５】
アフィリエイトサーバ１００は、同様に、制御部１１０として、ＣＰＵ，ＲＡＭ，ＲＯＭ等を備え、通信部１２０として、例えば、ＩＥＥＥ８０２．１１に準拠したＷｉＦｉ対応デバイスを備える（有線であってもよい）。加えて、アフィリエイトサーバ１００は、記憶部１３０として、ハードディスクや半導体メモリによる、データのストレージ部を備える。アフィリエイトサーバ１００は、後述するアプリケーションＩＤ、施設内でのＷｉｆｉ接続で設定されているＳＳＩＤ（Ｓｅｒｖｉｃｅ  Ｓｅｔ  Ｉｄｅｎｔｉｆｉｅｒ）及び施設内に設けられたビーコン端末のビーコンＩＤを関連付けて記憶する施設情報記憶テーブルを、記憶部１３０に備える。
【００３６】
アフィリエイトサーバ１００の制御部１１０が、所定のプログラムを読み込むことで、通信部１２０、記憶部１３０、処理部１４０と協働して、アプリケーション送信モジュール２００、アプリケーションＩＤ受信モジュール２１０、動作許可送信モジュール２２０、動作状況受信モジュール２３０、動作停止指示送信モジュール２４０、課金許可受信モジュール２５０、通知送信モジュール２６０、施設情報記憶モジュール３００、施設特定モジュール４００、動作回数・時間規定モジュール４１０、動作状況判定モジュール４２０、施設課金実行モジュール４３０を実現する。
【００３７】
［アフィリエイト処理］
図３は、コンテンツ利用端末１０、アフィリエイトサーバ１００が実行するアフィリエイト処理を示すフローチャートである。上述した各装置のモジュールが行う処理について、本処理に合わせて説明する。なお、本発明におけるアフィリエイトとは、施設等において、広告主がアプリケーションを提供し、ユーザがこのアプリケーションに対して課金処理を実行した場合には、広告主から施設等の運営者に対して一定の料率に従って報酬が支払われる方式を意味する。また、本実施例では、報酬及び課金という表現を用いているが、対価は金銭に限定されず、労務の提供、物品や土地の使用許可、権利の譲渡などであっても良い。また、本実施例における施設とは、例えば、レストラン、喫茶店、ショッピングモール、空港、駅といった店舗、複合施設、公共施設といったものを意味する。また、施設とは、これらの例に限定されるものではないことは言うまでもない。
【００３８】
初めに、コンテンツ利用端末１０の施設判定モジュール５０は、コンテンツ利用端末１０が施設内にあるか否かを判定する（ステップＳ１０）。なお、施設内にコンテンツ利用端末があるか否かの判定を、コンテンツ利用端末１０が行うのではなく、アフィリエイトサーバ１００が行っても良い。
【００３９】
ステップＳ１０において、コンテンツ利用端末１０は、例えば、施設のＳＳＩＤを取得して、施設内に設置されたＷｉｆｉスポットを経由してインターネットに接続しているか否かを判定したり、施設内に設置されたビーコン端末からビーコンＩＤを受信しているか否かを判定したりすることにより、自身が施設内にあるか否かを判定する。アフィリエイトサーバ１００の記憶部１３０は、各ＳＳＩＤと各施設とを対応付けて記憶している。また、アフィリエイトサーバ１００の記憶部１３０は、各ビーコンＩＤと各施設とを対応付けて記憶している。
【００４０】
ステップＳ１０において、コンテンツ利用端末１０の施設判定モジュール５０は、施設内に設置されたＷｉｆｉスポットを経由してインターネットに接続していないと判定したり、施設内に設置されたビーコン端末からビーコンＩＤを受信していないと判定したりした場合には（ＮＯ）、自身が施設内にあるのではなく、施設外にあると判定し、コンテンツ利用端末１０が施設内に移動するまで、処理をループする。
【００４１】
ステップＳ１０において、コンテンツ利用端末１０の施設判定モジュール５０は、施設内に設置されたＷｉｆｉスポットを経由してインターネットに接続していると判定したり、施設内に設置されたビーコン端末からビーコンＩＤを受信していると判定したりした場合には（ＹＥＳ）、自身が施設内にあると判定する。
【００４２】
ステップＳ１０において、コンテンツ利用端末１０の施設判定モジュール５０は、自身が施設内にあると判定した場合には（ＹＥＳ）、コンテンツ利用端末１０は、自身の機種情報等の端末を一意に特定できる端末情報をアフィリエイトサーバ１００に送信する（ステップＳ１１）。
【００４３】
アフィリエイトサーバ１００は、コンテンツ利用端末１０から送信された端末情報を受信する（ステップＳ１２）。
【００４４】
施設内に移動したユーザのコンテンツ利用端末１０には、図５に示す画面が表示される。この画面は、ユーザがコンテンツ利用端末１０に表示される通知から呼び出しても良いし、コンテンツ利用端末１０が施設内に移動したと判定した場合には、自動的に表示するようにしても良い。ユーザは、コンテンツ利用端末１０に表示された「はい」を選択することにより、アフィリエイトサーバ１００からアプリケーションを取得する。
【００４５】
アフィリエイトサーバ１００のアプリケーション送信モジュール２００は、受信した端末情報に基づいて、アプリケーションをコンテンツ利用端末１０に送信する（ステップＳ１３）。
【００４６】
アフィリエイトサーバ１００の施設情報記憶モジュール３００は、アフィリエイトサーバ１００のアプリケーション送信モジュール２００が送信したアプリケーションのアプリケーションＩＤ、自身が管理する施設のＳＳＩＤ及び施設に設置されたビーコン端末のビーコンＩＤを対応付けて記憶する。図４は、アフィリエイトサーバ１００の施設情報記憶モジュール３００が記憶する施設情報記憶テーブルである。図４に示すように、アフィリエイトサーバ１００の施設情報記憶モジュール３００は、コンテンツ利用端末１０上において動作するアプリケーションと、このアプリケーションのアプリケーションＩＤとを紐付けて記憶する。また、図４に示すように、アフィリエイトサーバ１００の施設情報記憶モジュール３００は、施設のＳＳＩＤと、コンテンツ利用端末１０に送信したアプリケーションが、コンテンツ利用端末１０上において動作する施設とを紐付けて記憶する。また、図４に示すように、アフィリエイトサーバ１００の施設情報記憶モジュール３００は、施設に設けられたビーコン端末のビーコンＩＤと、コンテンツ利用端末１０に送信したアプリケーションが、コンテンツ利用端末１０上において動作する施設とを紐付けて記憶する。また、アフィリエイトサーバ１００の施設情報記憶モジュール３００は、各アプリケーションＩＤに、ＳＳＩＤとビーコンＩＤとを対応付けて記憶する。
【００４７】
コンテンツ利用端末１０のアプリケーション受信モジュール２０は、アフィリエイトサーバ１００のアプリケーション送信モジュール２００が送信したアプリケーションを受信する（ステップＳ１４）。コンテンツ利用端末１０のアプリケーション記憶モジュール３０は、受信したアプリケーションを記憶する（ステップＳ１５）。
【００４８】
コンテンツ利用端末１０のアプリケーション実行モジュール４０は、受信したアプリケーションをユーザからの入力等に基づいて実行する。
【００４９】
コンテンツ利用端末１０の動作状況送信モジュール２３は、ユーザのアプリケーションの動作状況を、アフィリエイトサーバ１００に送信する（ステップＳ１６）。ステップＳ１６において、コンテンツ利用端末１０の動作状況送信モジュール２３が送信する動作状況とは、アプリケーションの動作回数や動作時間である。動作回数とは、アプリケーションをコンテンツ利用端末１０において起動した回数である。また、動作時間とは、アプリケーションをコンテンツ利用端末１０において動作させた時間である。なお、コンテンツ利用端末１０の動作状況送信モジュール２３が送信する動作状況は、他の内容であっても良い。
【００５０】
アフィリエイトサーバ１００の動作状況受信モジュール２３０は、コンテンツ利用端末１０の動作状況送信モジュール２３が送信した動作状況を受信する（ステップＳ１７）。
【００５１】
アフィリエイトサーバ１００は、受信した動作状況に基づいて、アプリケーションの動作許可を判定する（ステップＳ１８）。
【００５２】
アフィリエイトサーバ１００の動作回数・時間規定モジュール４１０は、コンテンツ利用端末１０に送信するアプリケーションの動作回数又は動作時間を予め規定する。例えば、アフィリエイトサーバ１００の動作回数・時間規定モジュール４１０は、各アプリケーションが一度だけ動作するように規定する。
【００５３】
また、アフィリエイトサーバ１００の動作回数・時間規定モジュール４１０は、コンテンツ利用端末１０に送信するアプリケーションの動作時間を規定する。例えば、アフィリエイトサーバ１００の動作回数・時間規定モジュール４１０は、各アプリケーションが３０分だけ動作するように規定する。
【００５４】
なお、アフィリエイトサーバ１００の動作回数・時間規定モジュール４１０は、各アプリケーションが、他の回数だけ動作するように規定しても良い。また、アフィリエイトサーバ１００の動作回数・時間規定モジュール４１０は、各アプリケーションが、他の時間だけ動作するように規定しても良い。また、アフィリエイトサーバ１００の動作回数・時間規定モジュール４１０は、各アプリケーションが、特定の回数と特定の時間を組み合わせた分だけ動作するように規定しても良い。
【００５５】
ステップＳ１８において、アフィリエイトサーバ１００の動作状況判定モジュール４２０は、受信したアプリケーションの動作状況と、動作回数・時間規定モジュール４１０により規定されたアプリケーションの回数又は時間とを比較し、規定された回数又は時間を超過しているか否かを判定する。
【００５６】
ステップＳ１８において、アフィリエイトサーバ１００の動作状況判定モジュール４２０は、コンテンツ利用端末１０でのアプリケーションの動作状況が、規定された回数又は時間を超過していないと判定した場合には（ＮＯ）、アフィリエイトサーバ１００の動作許可送信モジュール２２０は、コンテンツ利用端末１０にアプリケーションの動作許可を送信するとともに、処理をループする。
【００５７】
コンテンツ利用端末１０の動作許可受信モジュール２２は、アフィリエイトサーバ１００の動作許可送信モジュール２２０から送信されたアプリケーションの動作許可を受信する。ここで、コンテンツ利用端末１０のアプリケーション実行モジュール４０は、アプリケーションの動作許可を受信している場合に限り、アプリケーションを実行する。
【００５８】
ステップＳ１８において、アフィリエイトサーバ１００の動作状況判定モジュール４２０は、コンテンツ利用端末１０でのアプリケーションの動作状況が、規定された回数又は時間を超過していると判定した場合には（ＹＥＳ）、アフィリエイトサーバ１００の動作停止指示送信モジュール２４０は、コンテンツ利用端末１０に対して、該当するアプリケーションの動作停止指示を送信する（ステップＳ１９）。
【００５９】
コンテンツ利用端末１０の動作停止指示受信モジュール２４は、アフィリエイトサーバ１００の動作停止指示送信モジュール２４０から送信された動作停止指示を受信する（ステップＳ２０）。コンテンツ利用端末１０の動作停止指示受信モジュール２４が、この動作停止指示を受信した場合には、コンテンツ利用端末１０は、コンテンツ利用端末１０のアプリケーション実行モジュール４０が実行していたアプリケーションの動作を停止させる。
【００６０】
アフィリエイトサーバ１００の通知送信モジュール２６０は、アプリケーションが規定した動作回数又は動作時間を超過したことを示す通知をコンテンツ利用端末１０に送信する（ステップＳ２１）。
【００６１】
コンテンツ利用端末１０の通知受信モジュール２６は、アフィリエイトサーバ１００の通知送信モジュール２６０が送信した通知を受信する（ステップＳ２２）。コンテンツ利用端末１０は、受信した通知を表示部に表示する（ステップＳ２３）。
【００６２】
ステップＳ２３において、コンテンツ利用端末１０は、アプリケーションの使用回数がアフィリエイトサーバ１００の動作回数・時間規定モジュール４１０が規定した回数を満たした場合には、図６に示す通知を表示部に表示する。また、ステップＳ２３において、コンテンツ利用端末１０は、アプリケーションの使用時間がアフィリエイトサーバ１００の動作回数・時間規定モジュール４１０が規定した時間を満たした場合には、図７に示す通知を表示部に表示する。
【００６３】
このようにして、ユーザは、施設内において、アプリケーションを試験的に使用することが可能となる。ユーザは、施設外に移動した場合には、あるいは施設内において、該当アプリケーションを本使用したいと考えた場合には、課金処理を行う（ステップＳ２４）。ユーザが、コンテンツ利用端末１０に入力することにより、該当アプリケーションの使用料の支払が行われ、課金処理が実行される。
【００６４】
なお、アフィリエイトサーバ１００の動作状況判定モジュール４２０は、コンテンツ利用端末１０が施設内にあるか否かを判定し、施設内にコンテンツ利用端末１０がある場合には、アフィリエイトサーバ１００の動作許可送信モジュール２２０は、コンテンツ利用端末１０に対して動作許可を送信する。このとき、アフィリエイトサーバ１００の動作状況判定モジュール４２０は、コンテンツ利用端末１０が施設内に設置されたＷｉｆｉスポットを経由してインターネットに接続しているか又は施設内に設置されたビーコン端末からビーコンＩＤを受信している情報をコンテンツ利用端末１０から受信することにより、コンテンツ利用端末１０が施設内にあるか否かを判定する。また、アフィリエイトサーバ１００は、他の方法により、コンテンツ利用端末１０が施設内に存在するか否かを判定しても良い。例えば、ＧＰＳ（Ｇｌｏｂａｌ  Ｐｏｓｉｔｉｏｎｉｎｇ  Ｓｙｓｔｅｍ）により、コンテンツ利用端末１０の現在位置を取得し、予め取得してある施設の位置情報と取得したコンテンツ利用端末１０の現在位置とから施設内に存在するのか否かを判定しても良い。
【００６５】
アフィリエイトサーバ１００の動作状況判定モジュール４２０は、コンテンツ利用端末１０が施設内にないと判定した場合には、動作回数・時間規定モジュール４１０が規定した動作回数又は動作時間に関わらず、動作停止指示送信モジュール２４０が、コンテンツ利用端末１０にアプリケーションの動作を停止する指示を送信する。また、アフィリエイトサーバ１００の動作状況判定モジュール４２０は、コンテンツ利用端末１０が施設内に存在していると判定した場合には、動作許可送信モジュール２２０が、コンテンツ利用端末１０にアプリケーションの動作許可を送信する。このように、コンテンツ利用端末１０は、施設内のみにおいて、アプリケーションを使用することができる。
【００６６】
コンテンツ利用端末１０の課金許可送信モジュール２５は、ユーザがコンテンツ利用端末１０に対して入力した課金処理を、アフィリエイトサーバ１００に対して送信する。コンテンツ利用端末１０は、課金処理が完了したことを示す通知を図８に示すように表示部に表示する。ここで、コンテンツ利用端末１０のアプリケーションＩＤ送信モジュール２１は、ユーザが課金処理を行ったアプリケーションのアプリケーションＩＤをアフィリエイト端末１００に送信する。
【００６７】
アフィリエイトサーバ１００の課金許可受信モジュール２５０は、コンテンツ利用端末１０の課金許可送信モジュール２５が送信した課金許可を受信する。また、アフィリエイトサーバ１００のアプリケーションＩＤ受信モジュール２１０は、コンテンツ利用端末１０のアプリケーションＩＤ送信モジュール２１が送信したアプリケーションＩＤを受信する。
【００６８】
アフィリエイトサーバ１００は、課金されたことを受け付け、受信した課金許可が行われたアプリケーションのアプリケーションＩＤから、このアプリケーションＩＤに紐付けられた施設を特定する。アフィリエイトサーバ１００の施設特定モジュール４００は、受信したアプリケーションＩＤと、施設情報記憶テーブルに記憶しているＳＳＩＤ又はビーコンＩＤとに基づいて、このアプリケーションＩＤに対応付けられたアプリケーションを取得した施設を特定する。
【００６９】
具体的には、図４に示す施設情報記憶テーブルに示されるように、ユーザが課金処理を行ったアプリケーションＩＤが「４３３」である場合には、このアプリケーションＩＤに紐付けられたＳＳＩＤは、「Ｇ−ＳＨＩＮＡ０１」であり、ビーコンＩＤは紐付けられていない。そのため、アフィリエイトサーバ１００の施設特定モジュール４００は、ユーザがアプリケーションＩＤ「４３３」に該当するアプリケーションを取得した施設は、「Ｇ−ＳＨＩＮＡ０１」に紐付けられた施設であると特定する。また、ユーザが課金処理を行ったアプリケーションＩＤが「ＩＤ４４３」である場合には、このアプリケーションＩＤにＳＳＩＤは紐付けられておらず、ビーコンＩＤは、「ＩＤ−ＡＢＣ００９」である。そのため、アフィリエイトサーバ１００の施設特定モジュール４００は、ユーザがアプリケーションＩＤ「４４３」を取得した施設は、「ＩＤ−ＡＢＣ００９」に紐付けられた施設であると特定する。また、アプリケーションＩＤが「ＩＤ４５３」である場合には、このアプリケーションＩＤに紐付けられたＳＳＩＤは、「Ｇ−ＳＨＩＮＡ０３」であり、ビーコンＩＤは、「ＩＤ−ＡＢＣ０１０」である。そのため、アフィリエイトサーバ１００の施設特定モジュール４００は、ユーザがアプリケーションＩＤ「４５３」に該当アプリケーションを取得した施設は、「Ｇ−ＳＨＩＮＡ０３」及び「ＩＤ−ＡＢＣ０１０」に紐付けられた施設であると特定する。
【００７０】
アフィリエイトサーバ１００の施設課金実行モジュール４３０は、アフィリエイトサーバ１００の施設特定モジュール４００が特定した施設の運営者に対して、アフィリエイト報酬の支払を実行する（ステップＳ２６）。なお、アフィリエイト報酬の支払は、施設の運営者ではなく、それ以外の者に対して行っても良い。
【００７１】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合には、コンピュータはその記録媒体からプログラムを読み取って内部記憶装置又は外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００７２】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００７３】
１  アフィリエイトシステム、３  公衆回線網、１０  コンテンツ利用端末、１００  アフィリエイトサーバ、
【図１】
2016134157.tif 000003
【図２】
2016134157.tif 000004
【図３】
2016134157.tif 000005
【図４】
2016134157.tif 000006
【図５】
2016134157.tif 000007
【図６】
2016134157.tif 000008
【図７】
2016134157.tif 000009
【図８】
2016134157.tif 000010